(57)【要約】  ディスペンサーは、ディスペンサーハウジングと、ディスペンサーハウジングに接続された表示装置と、ディスペンサーハウジングに取り外し可能に係合された容器とを含んでいる。コネクタは、容器がディスペンサーハウジングに対して係合位置と非係合位置の間を動かされる際、容器とディスペンサーハウジングの間の接続を維持する。別の態様では、ディスペンサーは、ディスペンサーハウジングと、容器に取り付けられるようになっている鍵装置と、表示装置とを含んでいる。鍵装置は、表示装置に係合されている係合位置と、表示装置から取り外されている非係合位置の間を動くことができる。【選択図】          図４
2008528091.tif 000002
【特許請求の範囲】
【請求項１】
物質の毎回の投薬量を分与するディスペンサーにおいて、
端部分と、前記端部分から伸張する弁ステムと、を備えている容器と、
頂部と、ウェルを画定している底部と、長手方向に伸張して前記頂部に開口を画定している空洞と、を備えているディスペンサーハウジングと、
前記ディスペンサーハウジングに接続されており、投薬量標識を備えている表示器を備えている表示装置と、
前記ディスペンサーハウジングと前記容器を接続しているコネクタと、を備えており、
前記容器は、前記弁ステムが前記ウェルに配置されている係合位置と、前記弁ステムが前記ウェルから取り外されている非係合位置の間を可動であり、前記コネクタは、前記容器が前記係合位置と前記非係合位置の間を移動する際、前記容器と前記ディスペンサーハウジングの間の接続を維持する、ディスペンサー。
【請求項２】
前記コネクタは、前記容器に取り付けられた取付部分を備えており、前記取付部分は前記ディスペンサーハウジングに接続されている、請求項３に記載のディスペンサー。
【請求項３】
前記取付部分は、前記容器の前記端部分と係合するカラーを備えている、請求項２に記載のディスペンサー。
【請求項４】
前記ディスペンサーハウジングと前記取付部分の内の一方は、少なくとも１つの長手方向に伸張するガイドを備えており、前記ディスペンサーハウジングと前記取付部分の内の他方は、前記ガイドに可動に接続されており、前記容器が前記係合位置と前記非係合位置の間を移動する際、前記ガイドに対して可動である、請求項２に記載のディスペンサー。
【請求項５】
前記ガイドは軌道を備えている、請求項４に記載のディスペンサー。
【請求項６】
前記ディスペンサーハウジングと前記取付部分の内の前記一方は、前記軌道に可動に配置された従動子を備えている、請求項５に記載のディスペンサー。
【請求項７】
前記ディスペンサーハウジングは、前記容器の前記底部に軸回転可能に接続されたマウスピースを更に備えており、前記マウスピースは分与位置と洗浄位置の間を軸回転することができる、請求項６に記載のディスペンサー。
【請求項８】
前記コネクタは、前記取付部分と前記ディスペンサーハウジングを接続している伸張部材を更に備えている、請求項５に記載のディスペンサー。
【請求項９】
前記伸張部材は、前記取付部分と前記ディスペンサーハウジングとに軸回転可能に接続されている、請求項８に記載のディスペンサー。
【請求項１０】
前記伸張部材は、前記軌道に係合している少なくとも１つの従動子を備えている、請求項９に記載のディスペンサー。
【請求項１１】
前記軌道は、第１軌道を備えており、前記少なくとも１つの従動子は、第１従動子を備えており、前記伸張部材は、第２軌道を更に備えており、前記取付部分と前記ディスペンサーハウジングの内の前記他方は、前記第２軌道に係合している第２従動子を備えている、請求項１０に記載のディスペンサー。
【請求項１２】
前記軌道は、第１軌道を備えており、前記少なくとも１つの従動子は、第１従動子を備えており、前記伸張部材は、第２従動子を更に備えており、前記取付部分と前記ディスペンサーハウジングの内の前記他方は、第２軌道を備えており、前記第２従動子は、前記第２軌道に係合している、請求項１０に記載のディスペンサー。
【請求項１３】
前記コネクタは、係留紐を備えている、請求項１に記載のディスペンサー。
【請求項１４】
前記係留紐は、伸縮可能な材料で作られている、請求項１３に記載のディスペンサー。
【請求項１５】
前記容器に固定された第１錨着部と、前記ディスペンサーハウジングに固定された第２錨着部と、を更に備えており、前記係留紐は、前記第１錨着部と前記第２錨着部の間に接続されている、請求項１３に記載のディスペンサー。
【請求項１６】
前記第１錨着部は、前記容器に接続されたキャップ部材を備えている、請求項１５に記載のディスペンサー。
【請求項１７】
前記容器全体は、前記頂部の前記開口を通して動かされ、前記非係合位置に在るときには、前記空洞の外に配置されている、請求項１に記載のディスペンサー。
【請求項１８】
前記容器の少なくとも一部は、前記非係合位置に在るときは、前記空洞内に配置されたままである、請求項１に記載のディスペンサー。
【請求項１９】
前記表示装置は、前記ディスペンサーハウジングに固定的に取り付けられている、請求項１に記載のディスペンサー。
【請求項２０】
容器から物質の毎回の投薬量を分与するディスペンサーにおいて、
頂部と、ウェルを画定している底部と、長手方向に伸張して前記頂部に開口を画定している空洞を備えているディスペンサーハウジングと、
前記ディスペンサーハウジングに接続されており、投薬量標識を備えている表示器を備えている表示装置と、
前記容器に接続されるようになっている取付部分を有しており、前記ディスペンサーハウジングに接続されているコネクタであって、前記取付部分は、第１位置と、前記第１位置から間隔を置いた第２位置との間を可動である、コネクタと、を備えている、ディスペンサー。
【請求項２１】
前記取付部分はカラーを備えている、請求項２０に記載のディスペンサー。
【請求項２２】
前記ディスペンサーハウジングと前記取付部分の内の一方は、少なくとも１つの長手方向に伸張するガイドを備えており、前記ディスペンサーハウジングと前記取付部分の内の他方は、前記ガイドに可動に接続されており、前記取付部分が前記第１位置と前記第２位置の間を動かされる際、前記ガイドに対して可動である、請求項２０に記載のディスペンサー。
【請求項２３】
前記ガイドは軌道を備えている、請求項２２に記載のディスペンサー。
【請求項２４】
前記ディスペンサーハウジングと前記取付部分の内の前記一方は、前記軌道に可動に配置された従動子を備えている、請求項２３に記載のディスペンサー。
【請求項２５】
前記ディスペンサーハウジングは、前記容器の前記底部に軸回転可能に接続されたマウスピースを更に備えており、前記マウスピースは、分与位置と洗浄位置の間を軸回転することができる、請求項２４に記載のディスペンサー。
【請求項２６】
前記コネクタは、前記取付部分と前記ディスペンサーハウジングを接続する伸張部材を更に備えている、請求項２３に記載のディスペンサー。
【請求項２７】
前記伸張部材は、前記取付部分と前記ディスペンサーハウジングとに軸回転可能に接続されている、請求項２６に記載のディスペンサー。
【請求項２８】
前記伸張部材は、前記軌道に係合している少なくとも１つの従動子を備えている、請求項２７に記載のディスペンサー。
【請求項２９】
前記軌道は、第１軌道を備えており、前記少なくとも１つの従動子は、第１従動子を備えており、前記伸張部材は、第２軌道を更に備えており、前記取付部分と前記ディスペンサーハウジングの内の前記他方は、前記第２軌道に係合している第２従動子を備えている、請求項２８に記載のディスペンサー。
【請求項３０】
前記軌道は、第１軌道を備えており、前記少なくとも１つの従動子は、第１従動子を備えており、前記伸張部材は、第２従動子を更に備えており、前記取付部分と前記ディスペンサーハウジングの内の前記他方は、第２軌道を備えており、前記第２従動子は、前記第２軌道に係合している、請求項２８に記載のディスペンサー。
【請求項３１】
前記コネクタは、前記取付部分に接続されている係留紐を備えている、請求項２０に記載のディスペンサー。
【請求項３２】
前記係留紐は、伸縮可能な材料で作られている、請求項３１に記載のディスペンサー。
【請求項３３】
前記取付部分は、キャップ部材を備えている、請求項３１に記載のディスペンサー。
【請求項３４】
容器の少なくとも一部をディスペンサーハウジングから取り外す方法において、
頂部と、ウェルを画定している底部と、長手方向に伸張して前記頂部に開口を画定している空洞と、を備えている前記ディスペンサーハウジングと；端部分と、前記端部分から伸張し長手方向軸を画定している弁ステムと、を備えている容器であって、前記容器が係合位置に在る場合には前記端部分は前記ウェルの中に配置されている、容器と；前記ディスペンサーハウジングに接続されており、投薬量標識を備えている表示器を備えている表示装置と；前記ディスペンサーハウジングと前記容器を接続しているコネクタと、を用意するステップと、
前記空洞内にある前記容器を前記係合位置から非係合位置に動かして、前記弁ステムを前記ウェルから取り外すステップであって、前記コネクタは、前記容器が前記非係合位置に動かされる際、前記容器と前記ディスペンサーハウジングの間の接続を維持している、前記容器を動かすステップと、から成る方法。
【請求項３５】
前記容器を前記非係合位置に動かすステップは、前記容器の少なくとも一部分を前記空洞内に維持するステップを含んでいる、請求項３４に記載の方法。
【請求項３６】
前記容器を前記非係合位置に動かすステップは、前記容器全体を前記頂部の前記開口を通して動かし、前記容器全体を前記空洞の外に配置するステップを含んでいる、請求項３４に記載の方法。
【請求項３７】
前記容器を前記非係合位置に動かすステップは、前記容器を前記長手方向軸に沿った方向に動かすステップを含んでいる、請求項３４に記載の方法。
【請求項３８】
前記容器を動かすステップは、前記容器を前記長手方向軸に実質的に垂直に向いた回転軸周りに軸回転させるステップを含んでいる、請求項３７に記載の方法。
【請求項３９】
前記回転軸は、前記空洞の外に配置されている、請求項３８に記載の方法。
【請求項４０】
前記コネクタは、前記容器と前記ディスペンサーハウジングを接続している伸張部材を備えており、前記容器を前記回転軸周りに軸回転させるステップは、前記容器を前記伸張部材に対して前記回転軸周りに回転させるステップを含んでいる、請求項３８に記載の方法。
【請求項４１】
前記回転軸は、第１回転軸を備えており、前記容器を動かすステップは、前記伸張部材を前記ディスペンサーハウジングに対して前記第２回転軸周りに回転させるステップを更に含んでいる、請求項４０に記載の方法。
【請求項４２】
前記コネクタは係留紐を備えており、前記容器を前記非係合位置に動かすステップは、前記係留紐を引き延ばすステップを含んでいる、請求項３４に記載の方法。
【請求項４３】
容器から物質の毎回の投薬量を分与するディスペンサーにおいて、
ディスペンサーハウジングと、
前記容器に接続されるようになっている取付部分を有する鍵装置であって、第１及び第２の回転可能なリングを備えている、鍵装置と、
前記ディスペンサーハウジングに接続されており、投薬量標識と第１及び第２ギヤとを備えている表示器を備えている、表示装置と、を備えており、
前記第１リングと前記第１ギヤの内の一方は、第１鍵部分を有しており、前記第１リングと前記第１ギヤの内の他方は、第１鍵通路を有しており、前記第２リングと前記第２ギヤの内の一方は、第２鍵部分を有しており、前記第２リングと前記第２ギヤの内の他方は、第２鍵通路を有しており、
前記鍵装置は、前記第１及び第２鍵部分がそれぞれ前記第１及び第２鍵通路に配置されている係合位置と、前記第１及び第２鍵部分がそれぞれ前記第１及び第２鍵通路から取り外されている非係合位置との間を可動である、ディスペンサー。
【請求項４４】
前記第２ギヤには、前記第１ギヤが前記第２ギヤに対して回転される際、前記第１ギヤが選択的に噛み合わされる、請求項４３に記載のディスペンサー。
【請求項４５】
前記第２ギヤは、複数の歯を備えており、前記第１ギヤは、完全に一回転する都度、前記第２ギヤの前記歯の１つと選択的に噛み合う、請求項４４に記載のディスペンサー。
【請求項４６】
前記第１及び第２ギヤの内の一方は、前進部材を備えており、前記前進部材を付勢して、前記第１ギヤと前記第２ギヤの内の前記他方と選択的に係合させる係合部材を更に備えている、請求項４５に記載のディスペンサー。
【請求項４７】
前記第１ギヤと噛み合う駆動ギヤを更に備えている、請求項４３に記載のディスペンサー。
【請求項４８】
前記駆動ギヤと同軸に取り付けられたラチェットギヤと、前記ラチェットギヤと選択的に係合するアクチュエータ部材と、を更に備えている、請求項４７に記載のディスペンサー。
【請求項４９】
前記第１ギヤと前記第１リングは、第１速度で回転され、前記第２ギヤと前記第２リングは第２速度で回転され、前記第１速度は前記第２速度とは異なる、請求項４３に記載のディスペンサー。
【請求項５０】
容器から物質の毎回の投薬量を分与するディスペンサーにおいて、
ディスペンサーハウジングと、
キャニスターと弁ステムを備えている容器であって、物質の一回の投薬量を放出するために前記弁ステムが前記キャニスターに対して往復運動できるようになっている容器と、
前記キャニスターに取り付けられた鍵装置であって、第１及び第２の回転可能なリングを備えている鍵装置と、
前記ディスペンサーハウジングに接続されており、投薬量標識と第１及び第２ギヤとを備えている表示器を備えている表示装置と、を備えており、
前記第１リングと前記第１ギヤの内の一方は第１鍵部分を有しており、前記第１リングと前記第１ギヤの内の他方は第１鍵通路を有しており、前記第２リングと前記第２ギヤの内の一方は第２鍵部分を有しており、前記第２リングと前記第２ギヤの内の他方は第２鍵通路を有しており、
前記容器は、前記第１及び第２鍵部分がそれぞれ前記第１及び第２鍵通路に配置されており、前記弁ステムが前記ディスペンサーハウジングに係合している係合位置と、前記第１及び第２鍵部分がそれぞれ前記第１及び第２鍵通路から取り外されており、前記弁ステムが前記ウェルから取り外されている非係合位置と、の間を可動である、ディスペンサー。
【請求項５１】
ディスペンサーを操作する方法において、
前記ディスペンサーハウジングと、キャニスターと弁ステムを備えている前記容器であって、前記弁ステムは、物質の一回の投薬量を放出するために前記キャニスターに対して往復運動できるようになっている、容器と；前記キャニスターに取り付けられた鍵装置であって、第１及び第２の回転可能なリングを備えている鍵装置と；前記ディスペンサーハウジングに接続されており、投薬量標識と第１及び第２ギヤを備えている表示器を備えている表示装置であって、前記第１リングと前記第１ギヤの内の一方は第１鍵部分を有しており、前記第１リングと前記第１ギヤの内の他方は第１鍵通路を有しており、前記第２リングと前記第２ギヤの内の一方は第２鍵部分を有しており、前記第２リングと前記第２ギヤの内の他方は第２鍵通路を有している、表示装置と、を用意するステップと、
前記キャニスターを前記弁ステムに対して往復運動させるステップと、
前記キャニスターが往復運動する都度、前記容器から物質の１回分の投薬量を分与するステップと、
前記キャニスターが往復運動する都度、それに応じて第１増分量だけ前記第１ギヤを回転させるステップと、
前記キャニスターが所定の回数だけ往復運動をしたら、前記第２ギヤを前記第１ギヤと選択的に噛み合わせるステップと、
前記第２ギヤを前記第１ギヤで第２増分量だけ回転させるステップと、
前記容器を、前記第１及び第２鍵部分がそれぞれ前記第１及び第２鍵通路に配置され、前記弁ステムが前記ディスペンサーハウジングに係合している係合位置から、前記第１及び第２鍵部分がそれぞれ前記第１及び第２鍵通路から取り外され、前記弁ステムが前記ウェルから取り外されている非係合位置まで動かすステップと、から成る方法。
【請求項５２】
前記往復運動の所定の回数は、１より大きい、請求項５１に記載の方法。
【請求項５３】
容器から物質の毎回の投薬量を分与するディスペンサーにおいて、
開口を画定している頂部を有するディスペンサーハウジングと、
前記ディスペンサーハウジングに係合している弁ステムと、前記開口を通って伸張している端部と、を備えている容器と、
前記ディスペンサーハウジングに固定的に取り付けられている弾性を有する可撓性のキャップであって、前記容器と前記開口を覆っており、前記弁ステムが前記ディスペンサーハウジングから外れるのを防いでいるキャップと、を備えているディスペンサー。
【請求項５４】
容器から物質の毎回の投薬量を分与するディスペンサーにおいて、
少なくとも１つのガイドを有するディスペンサーハウジングと、
前記ディスペンサーハウジングに係合している弁ステムを有する容器であって、前記弁ステムに対して少なくとも第１位置と第２位置の間を可動である容器と、
捕捉部分を有する少なくとも１つのアームを備えているコネクタであって、前記アームは、前記弁ステムが前記ディスペンサーハウジングから外れないように前記捕捉部分を前記ガイド部分に係合させた状態で、前記少なくとも１つのガイドを通して配置されており、前記少なくとも１つのアームは、前記容器が前記第１位置と第２位置の間を動かされる際、前記ガイドに対して可動である、コネクタと、を備えているディスペンサー。
【請求項５５】
前記コネクタは、前記容器に接続されている、請求項５４に記載のディスペンサー。
【請求項５６】
前記コネクタは、前記容器に係合するカラーを備えている、請求項５５に記載のディスペンサー。
【請求項５７】
前記ディスペンサーハウジングは、モジュール式ハウジングと、前記モジュール式ハウジングに配置された表示器を備えており、前記少なくとも１つのガイドは、前記モジュール式ハウジングに形成されている、請求項５４に記載のディスペンサー。
【請求項５８】
容器から物質の毎回の投薬量を分与するディスペンサーにおいて、
少なくとも１つの捕捉部分を有するディスペンサーハウジングと、
前記ディスペンサーハウジングに係合している弁ステムを有し、頚部とフェルール部分を備えている容器であって、前記容器は、前記弁ステムに対して少なくとも第１位置と第２位置の間を可動であり、前記捕捉部分は、前記弁ステムが前記ディスペンサーハウジングから外れないように前記フェルールと係合しており、前記容器は、前記容器が前記第１位置と第２位置の間を動かされる際、前記捕捉部分に対して可動である、容器と、を備えているディスペンサー。
【請求項５９】
前記ディスペンサーハウジングは、下側部分と上側部分を備えている、請求項５８に記載のディスペンサー。
【請求項６０】
少なくとも前記上側部分は、少なくとも部分的には透けている、請求項５９に記載のディスペンサー。
【請求項６１】
前記少なくとも１つの捕捉部材は、前記下側部分に接続されている、請求項５９に記載のディスペンサー。
【請求項６２】
前記下側部分は、前記上側部分に取り外し可能に取り付けられている、請求項６１に記載のディスペンサー。
【請求項６３】
前記ディスペンサーハウジングに接続されている係止リングを備えており、前記係止リングは、前記少なくとも１つの捕捉部分を備えている、請求項５８に記載のディスペンサー。
【請求項６４】
前記係止リングは、前記頚部を受け入れる形状に作られた少なくとも１つの中央開口と、空気の流れが前記係止リングを通過できるようにする少なくとも１つの循環開口を画定している、請求項６３に記載のディスペンサー。
【発明の詳細な説明】
【技術分野】
【０００１】
本出願は、２００５年４月１４日に「分与装置」という名称で出願された米国仮特許出願第６０／６７１，２２０号並びに２００５年１月２０日に「分与装置」という名称で出願された米国仮特許出願第６０／６４５，０９５号の恩典を請求し、上記両仮特許出願の開示全体を参考文献としてここに援用する。
【０００２】
本発明は、概略的には分与装置に関し、より具体的には、その様な特定の分与装置に関係付けられている容器から既に計量されて分与されたか、又は容器内に残っている薬の量を投薬回数で表示するための投薬量表示装置を有する分与装置に関する。
【背景技術】
【０００３】
既に装置から計量されて分与された薬の投薬回数を表示するか、又は装置に残っている薬の投薬回数を表示する投薬量表示装置を含むエーロゾル分与装置が開発されている。例えば、或る患者は、エーロゾルの形態で分与され、吸入によって患者に投与される薬剤を使って治療することのできる症状にある。或る形態では、薬剤を含むエーロゾルが容器に入っており、吸入装置又はアクチュエータブーツによって、計量又は測定された投薬量が分与される。そのような器具では、患者にとっては、容器内に残っている薬の投薬回数を表示すること、又は既に容器から分与された投薬回数を知ることの何れかによって、容器内に残っている薬の投薬回数を確認し、薬剤が必要なときになって初めて空の容器に気付くということのないようにするのが重要である。従って、吸入装置は、容器に残っている薬の投薬回数か、又は既に容器から分与された投薬回数を正確に表示することが重要である。
【０００４】
また、特定のアクチュエータブーツは、特定の薬剤を容器から分与することができるように特別に適合されているか又は特別に作られている。従って、容器及び／又はアクチュエータブーツは、対応する又は関係付けられたアクチュエータブーツ及び／又は容器としか働かないように作られていることも重要である。
【０００５】
通常、従来型のエーロゾル容器は、本体と、弁ステムとを備えており、本体に対して弁ステムを押し下げると、計量された１回分のエーロゾルと薬剤が放出されるようになっている。容器には、通常、概ね約２００回程度の投薬回数に相当する量の薬が入っており、弁ステムを押し下げた数と、それに対応する計量されて分与された薬の投薬回数とが、容器に残っている薬の投薬回数と直接相関付けできるようになっている。
【０００６】
操作時には、容器は、通常、吸入装置のハウジングの中に入っており、弁がハウジング内の支持ブロックと係合している。ユーザーは、容器をハウジングに対して動かし、弁ステムと内部弁を押し下げて、計量された１回分の薬が放出されるようにすることによって薬剤を投与するが、通常、この１回分の薬は、ハウジングから伸張しているポート又はマウスピースを通してユーザーに投与される。１回分の薬が投与された後で、普通はばね力が掛かっている弁ステムは、容器をハウジングに対して再び動かすように、容器を支持ブロックから離れる方向に付勢する。このように、容器がハウジングに対して直線状の１サイクルの往復運動をする毎に、計量された１回分の薬剤が投与される。
【０００７】
薬剤容器に取り付けられている或る種のアクチュエータブーツ又は他の装置は、ハウジングに対する容器の直線状の往復運動を、表示器の一方向又は１サイクルの動きに変換する表示装置を有しており、表示器は、容器の相対的な充填度、容器内に残っている薬の投薬回数、又は既に投与された薬の投薬回数を特定する。表示器は、しばしば、アクチュエータブーツの内部に配置されている。例えば、アクチュエータブーツを洗浄するために容器をアクチュエータブーツから取り外した場合、誤って異なる容器をアクチュエータブーツに挿入してしまい、計数が狂ったり、アクチュエータブーツの、物質を正しく分与する性能が損なわれる恐れがある。
【０００８】
この問題を解消するために、例えばRandに与えられた米国特許第６，４３１，１６８号に示されるように、或る種の装置では、装置を表示器も含めて、アクチュエータに固定しているものもある。しかしながら、Randに与えられた１６８号特許では、表示器は、容器がアクチュエータブーツに対して動く際に容器と共に動いている。従って、表示器部材はアクチュエータブーツの表示窓に対して動くことになり、装置の標識を読む際に、妨げになったり戸惑いや困難を招く恐れが出て、装置の精度と耐久性に疑問を差し挟むことになる。
【特許文献１】米国仮特許出願第６０／６７１，２２０号
【特許文献２】米国仮特許出願第６０／６４５，０９５号
【特許文献３】米国特許第６，４３１，１６８号
【特許文献４】米国特許第５，０１２，８０３号
【特許文献５】米国特許第４，４６０，４１２号
【特許文献６】米国特許第６，１４２、３３９号
【特許文献７】米国特許第６，１６１，７２４号
【特許文献８】米国特許第６，４３５，３７２号
【特許文献９】米国特許第６，５６１，３８４号
【特許文献１０】米国特許出願第１０／９６８，８１５号
【発明の開示】
【課題を解決するための手段】
【０００９】
簡単に述べると、或る態様では、本発明は、物質の投薬量を分与するディスペンサーに着目している。ディスペンサーは、端部分と、端部分から伸張している弁ステムとを有している容器を含んでいる。ディスペンサーハウジングは、頂部と、底部と、長手方向に伸張し頂部に開口している空洞を含んでいる。底部はウェルを画定している。表示装置は、ディスペンサーハウジングに接続されており、投薬量標識を備えた表示器を含んでいる。コネクタが、ディスペンサーハウジングと容器を接続している。容器は、弁ステムがウェルに配置されている係合位置と、弁ステムがウェルから取り外されている非係合位置との間を移動することができる。容器が係合位置と非係合位置の間を移動するとき、コネクタは、容器とディスペンサーハウジングの間の接続を維持している。
【００１０】
或る実施形態では、コネクタは、容器に取り付けられた取り付け部分とディスペンサーハウジング内の一方に形成された軌道と従動子を含んでいる。或る実施形態では、コネクタは、更に、取付部分とディスペンサを接続する伸張部材を含んでいる。伸張部材も、軌道及び／又は１つ又は複数の従動子を含んでいる。
【００１１】
代わりの実施形態では、コネクタは、容器とディスペンサーハウジングを接続する係留紐を含んでいる。或る実施形態では、係留紐は、伸縮可能な材料で形成されている。
【００１２】
別の態様では、ディスペンサーは、ディスペンサーハウジングと、表示装置と、容器に接続されるようになっている取付部分を有するコネクタと、を含んでいる。コネクタは、取付部分が、第１位置と、この第１位置から間隔を空けた第２位置の間を移動することができる状態で、ディスペンサーハウジングに接続されている。
【００１３】
更に別の態様では、容器の少なくとも一部をディスペンサーハウジングから取り外す方法は、容器を係合位置から非係合位置に動かして、弁ステムをウェルから取り外すステップを含んでいる。コネクタは、容器が非係合位置に動かされる際に、容器とディスペンサーハウジングの間の接続を維持している。
【００１４】
更に別の態様では、ディスペンサーは、ディスペンサーハウジングと、鍵装置と、表示装置を含んでいる。鍵装置は、容器に接続されるようになっている取付部分を有しており、第１及び第２の回転可能なリングを含んでいる。表示装置は、ディスペンサーハウジングに接続されており、投薬量標識と第１及び第２ギヤを有する表示器を含んでいる。第１リングと第１ギヤの内の一方は、第１鍵部分を有しており、他方は、第１鍵通路を有している。同じく、第２リングと第２ギヤの内の一方は、第２鍵部分を有しており、他方は、第２鍵通路を有している。鍵装置は、第１及び第２鍵部分がそれぞれ第１及び第２鍵通路に配置されている係合位置と、第１及び第２鍵部分がそれぞれ第１及び第２鍵通路から取り外されている非係合位置との間を移動することができる。
【００１５】
更に別の態様では、ディスペンサーは、キャニスターと弁ステムを有している容器を更に含んでいる。弁ステムは、物質の一回分の投薬量を放出するために、キャニスターに対して往復運動することができる。容器は、第１及び第２鍵部分がそれぞれ第１及び第２鍵通路に配置され且つ弁ステムがディスペンサーハウジングと係合している係合位置と、第１及び第２鍵部分がそれぞれ第１及び第２鍵通路から取り外され且つ弁ステムがウェルから取り外されている非係合位置との間を移動することができる。
【００１６】
更に別の態様では、ディスペンサーを操作する方法は、キャニスターを弁ステムに対して往復運動させるステップと、キャニスターが往復運動を１回する度に容器から物質の１回分の投薬量を分与するステップと、を含んでいる。本方法は、更に、キャニスターが往復運動を１回する毎に、これに応じて第１増分量だけ第１ギヤを回転させるステップと、キャニスターが所定回数だけ往復運動したら第２ギヤを第１ギヤと選択的に噛み合わせるステップと、第２ギヤを第１ギヤで第２増分量だけ回転させるステップを含んでいる。本方法は、更に、容器を、第１及び第２鍵部分がそれぞれ第１及び第２鍵通路に配置され且つ弁ステムがディスペンサーハウジングと係合している係合位置から、第１及び第２鍵部分がそれぞれ第１及び第２鍵通路から取り外され且つ弁ステムがウェルから取り外されている非係合位置へ動かすステップを含んでいる。
【００１７】
各種実施形態は、容器内に残っている薬の投薬回数を表示すること、又は既に容器から分与された投薬回数を知ることの何れかによって、容器内に残っている薬の計量された投薬回数が確認できるようにする情報を使用者に提供するための単純で頑丈且つ安価な解決策を提供している。また、実施形態の中には、容器をディスペンサーハウジングから取り外しても、容器はディスペンサーハウジングに接続されたままであり、これにより確実に、容器の投薬回数を数える際の完全性が保証され、容器は正しく作られたディスペンサーハウジングと共に使用されるようにしているものもある。代わりに、容器に接続された鍵装置によって、特定容器は特定のディスペンサーハウジング及び表示装置としか関係付けられないように構成された実施形態もある。
【００１８】
上記段落は、総括的な序論として提示しており、特許請求の範囲を限定するものではない。各種好適な実施形態は、他の利点も併せて、添付図面に関連付けて以下の詳細な説明を参照することにより深く理解されるであろう。
【発明を実施するための最良の形態】
【００１９】
各図、特に図１から図５を参照すると、分与装置又はディスペンサーは、ハウジング１０即ちアクチュエータブーツと、その中に配置されている容器１００を含んでいることが分かる。ハウジングは、容器を入れるため長手方向に伸張する形状に作られた空洞１２を有している。ハウジングの頂部は概ね開いており、開口部１４を通して容器をハウジングに挿入し、容器の低端部１０２がハウジングから突き出て、作動に備えてユーザーに対して露出した状態でハウジング内に装着できるようになっている。
【００２０】
ここで使用する「長手方向」及び「軸方向」という用語は、ハウジングに対する容器の往復運動の方向を示すものとする。「頂部」「底部」「上方向に」及び「下方向に」という用語は、図面に示している吸入装置を見たときの方向を示すものであるが、容器は、ひっくり返して、容器の上部表面をハウジングの底部に隣接させて、或いは容器の上部表面にハウジングの底部を隣接させて配置するものと理解頂きたい。
【００２１】
図５、図１３、図１５、図４１、及び図４６に示すように、ウェル１８を有する支持ブロック１６が、ハウジングの底部２２に形成されている。オリフィス２０は、支持ブロックを貫通してウェルの底部と連通している。図２から図４を参照すると、患者の口に挿入するためのマウスピース２４は、オリフィス及びウェルと連通する排出口２６を形成している。マウスピース２４は、マウスピースを患者の口の中に挿入し易くするため、ハウジングから横方向に伸張している。
【００２２】
容器１００は、その上面１０８上にハブ１０６が配置されている円筒状のキャニスター１０４として形成されている。キャニスターは、更に、肩部１８０と頚部１８８を有している。弁ステム１１０は、ハブから長手方向に伸張している。弁ステムは、キャニスターからこれと同軸に伸張しており、キャニスター内に取り付けられているばね（図示せず）で、キャニスターから外方向に付勢されている。容器１００は、弁ステム１１０を支持ブロックのウェル１８内に圧入することによってハウジング内に取り付けられており、この状態が、容器の「係合」位置を画定している。弁ステム１１０が支持ブロックのウェル１８から取り外されているとき、容器は、「非係合」位置にある。
【００２３】
なお、容器は様々な形状寸法に作ることができ、容器に入れられた物質は、当技術では既知のどの様な数の弁システムによって放出してもよいものと理解頂きたい。更に、弁システムは、限定するわけではないが、各種ポンプ、レバー、アクチュエータブーツ、ボタンなどを含め、様々なアクチュエータで作動させることができるものと理解頂きたい。その様な実施形態では、弁システムを、容器又はハウジングに対して動かすことのできるアクチュエータで作動させ、容器をハウジングに対して静止した状態に保つことができる。
【００２４】
或る好適な実施形態では、容器１００は或る物質で満たされており、この物質は、弁ステム１１０を伸張した閉位置から押し下げられた開位置に押し下げ又は動かし、これにより値又は値システムを開けることによって、容器から特定の計量された投薬量だけ分与される。この物質は薬剤であるのが望ましいが、この容器は、限定するわけではないが、様々な液体、泡又はエーロゾルを含め様々な非薬品物質を保持するのに使用することもできるものと理解頂きたい。弁ステムを長手方向に往復運動させ、それに伴って弁が開閉される度に、１回分の計量された投薬量が、容器から分与される。
【００２５】
操作時には、弁ステム及び弁の開動作は、容器１００を、弁ステムと容器の往復運動によって画定される長手方向軸に沿ってハウジング１０内で往復運動させることにより、そしてキャニスターの露出した底端部１０２をハウジング１０に対して押し下げて、弁ステム１１０を支持ブロックでウェル内に支持されている状態で開位置に動かすことによって、達成される。代わりに、アクチュエータを動かして、容器の弁システムを開いてもよく、その場合、容器は、支持用ハウジング、キャップ、及び／又は取り付けられている表示装置に対して静止した状態に保たれる。例えば、アクチュエータは、ポンプ装置などの形態で、容器の端部に取り付けることもできる。
【００２６】
弁ステムが開位置に動かされると、容器は、物質の計量された一回分の投薬量をエーロゾルの形態でウェル１８とオリフィス２０を通して排出口へと分与する。エーロゾル形態の物質は、次いで、自己生成された又は支援を受けた気流の何れかで、マウスピースの排気口を通して使用者に送られる。代わりに、計量された投薬量の液体又は類似物を容器から分与してもよい。
他の送達システムでは、容器のハウジング及びホルダは、出力端を備えたチャンバを有する構成要素に取り付けられている。この種の送達システムの例は、例えば、１９９１年５月７日発行の米国特許第５，０１２，８０３号、及び１９８４年９月１１日発行の米国特許第４，４６０，４１２号に示されており、前記各特許の開示全体を参考文献としてここに援用する。（上記特許の何れについてもその実施権は、明示、暗示を問わず、ここに援用するという理由により認められるものではない。）この種の送達システムでは、チャンバを有する構成要素は、ハウジングのマウスピースを受け入れるようになっているか、又は容器を支えているホルダと一体に接続されている。何れの実施形態でも、エーロゾルの形態をした物質、望ましくは薬剤、の計量された一回分の投薬量は、最初に容器からチャンバに分与され、その後使用者により吸入される。
【００２７】
或る好適な実施形態では、容器１００は、計量された所定の投薬回数分の物質を分与することを目的としている。例えば、従来の吸入器容器は、通常、概ね１００回から２００回の計量投薬回数分の薬を保持している。操作に際して、使用者は、容器内に残っている薬の投薬回数を知っていて、薬剤の様な物質が必要なときになって初めて空の容器に気付くということのないようにするのが重要である。
【００２８】
次に図１から図５に示すように、ディスペンサは、ハウジング１０、ハウジング内に上記のように取り付けられた容器１００、及び表示器アセンブリ２を含んでいる。表示器アセンブリは、多様な形態を取ることができ、例えば、限定するわけではないが、米国特許第６，１４２、３３９号、同第６，１６１，７２４号、同第６，４３５，３７２号、及び同第６，５６１，３８４号に開示されているものを挙げることができ、前記各特許の開示全体を参考文献としてここに援用する。表示器アセンブリは、単一の表示器部材を含んでいても、複数（即ち２つ以上）の表示器部材を含んでいてもよく、例えば、図１から図４、図１６、図２２、図２３、図３２、図３４、図３７、図４０、図４１、図４６の各種実施形態では、３つの同軸に取り付けられた表示器部材５０として示されている。また、表示器アセンブリは、機械的な装置として、電気的な装置として、又はそれらの組み合わせとして構成されていてもよく、限定するわけではないが、各種アナログ及びデジタル読み出し器又は標識が含まれる。
【００２９】
図３、図１７、図２２、図３２、図３７に示すように、アクチュエータ部材７０は、ハウジング内での容器の往復運動によって画定される長手方向軸に平行な軸に沿って、ハウジング内に可動的に支持されている柱部材７２として構成されている。柱の周りにはばね８８が配置されており、アクチュエータ部材を上向きに付勢してキャニスターの上面１０８に押し付けるか、それに固定されている取付部分に押し付ける。各図には圧縮ばねを示しているが、片持ち梁、捩りばね、板ばね、及び引っ張りばねなども、アクチュエータを付勢して容器と係合させるのに使えるものと理解頂きたい。各ばねは、金属製でもプラスチック製でもよい。
【００３０】
操作時、容器は、ハウジング内で長手方向に動かされ、弁ステムが開位置に押し下げられて、弁が上で説明したように開く。容器がハウジング内で下向きに動かされる際、アクチュエータ部材７０は長手方向に沿って下向きに動かされる。使用者が容器を放すと、容器内のばね（図示せず）が容器をハウジング内で長手方向軸に沿って上向きに付勢するので、弁ステム１１０が容器内で閉位置に移動して弁が閉じ、一方でばねはアクチュエータ部材を上向きに付勢する。アクチュエータは、往復運動する際に、選択的にラチェットギヤ７２と噛み合い、往復運動が所定の回数に達すると、ラチェットギヤ７２は、１つ又は複数の表示器部材を作動的に動かす。
【００３１】
表示器部材５０には、１つ又は複数の表示窓５２を通して見ることのできる標識が設けられている。標識は、容器に残っている投薬回数又は容器からすでに投与された回数を使用者に示す。或る実施形態では、標識はカラーコードの形態を取っており、例えば、ホイールの一部は開始の満杯状態を示す緑色に着色され、一部は半分ほど入っていることを示す黄色に着色され、一部は容器が空であることを示す赤色に着色される。自明であるが、容器が比較的満杯であるか空であるかを示すのに、他の色、濃淡又は英数字の標識を表示器ホイール上に設けてもよい。
【００３２】
或る実施形態では、表示器アセンブリは、心棒５６を中心に回転可能に同軸に取り付けられた３つの表示器部材５０を含んでいる。各表示器部材は、円周スカートを有する表示器ホイールとして構成されており、スカートの外周面６０に標識（数字として図示）が貼り付けられている。この実施形態では、ラチェットギヤ７２は、表示器ホイールと同軸に取り付けられている。ラチェットギヤ７２は、その周囲に複数の歯が形成されている。或る実施形態では、ラチェットギヤは表示器ホイールと一体にモールド成形されているが、ギヤとホイールは、別々に作って、その後、溶接や接着などで互いに取り付けてもよいものと理解頂きたい。
【００３３】
或る実施形態では、第１表示器部材は、第２表示器部材のラチェットギヤの歯上にある弾性前進部材６２を含んでいる。同じく、第２表示器部材は、第３表示器部材のラチェットギヤの歯上にある前進部材を含んでいる。なお、当業者には理解頂けるように、１つ又は複数の表示器部材は、使用済み又は使用可能な投薬量を回数で表示するのに使用されており、各図に示した３つの表示器部材は、説明を目的としており、限定を課すものではない。また、複数の表示器部材は、１より多い任意の個数の表示器部材を指すものと理解頂きたい。
【００３４】
図３８に示すように、ハウジング１０は、ハウジングと一体に形成され且つ傾斜面を含んでいる一対の係合部材６４を有している。ハウジングからは複数の逆止部材６６が伸張しており、ラチェットギヤに選択的に噛み合って、表示器部材が確実に一方向に回転するようにしている。係合部材と逆止部材は、図３及び図１６に示し、下で説明するように、モジュール式ハウジングに形成されるかハウジングから伸張しているものとして示しているが、当業者には理解頂けるように、上記部材又は等価の造形は、図３４、図３７、図３８に示すように容器を支持するディスペンサハウジング又はアクチュエータブーツに形成され又は接続されていてもよいし、容器自体に設けられ又は接続されていてもよい。
【００３５】
操作時、容器はハウジング１０内で長手方向に動かされ、弁ステム１１０を開位置に押し下げて、弁が上で説明したように開く。容器がハウジング内で往復運動する際、アクチュエータ７０は、第１表示器部材に固定されているラチェットギヤ７２と係合し、第１表示器部を、ラチェットギヤの周囲に設けられている歯のピッチに対応する所定の角度又は増分量だけ回転させる。
【００３６】
容器のハウジングに対する往復運動は、第１表示器部材５０とそのラチェットギヤ７２が完全に一回転するまで繰り返される。第１表示器部材を一回転進めるのに必要な往復運動の所定の回数は、ラチェットギヤ７２の周囲に設けられた歯の数に等しい。容器をハウジングに対して連続的に動かすことにより第１表示器部材が回転すると、第１表示器部材の前進部材６２は、ハウジング内に形成された傾斜面で構成された係合部材６４と選択的に係合する。具体的には、係合部材６４は、前進部材６２の歯部分を付勢して、第２表示器部材上のラチェットギヤ７２の歯の１つと噛み合わせる。
【００３７】
容器用のディスペンサーハウジングか下で説明するモジュール式ハウジングかを問わず、容器をハウジングに対して連続的に動かすことにより、第１表示器部材が更に回転すると、前進部材６２は、隣接する（即ち、第２の）表示器部材のラチェットギヤ７２上の歯の１つと噛み合い、表示器部材を、ラチェットギヤの歯のピッチに対応する所定の増分角度量だけ前進させる。増分という用語は、表示装置が残りの投薬回数を示している（カウントダウン）か、投与済みの投薬回数を示している（カウントアップ）かには関係なく、一回の作動の前進により表示器部材が動かされる角度量を指し、これは１つの歯の移動量に相当する。
【００３８】
弾性前進部材６２は、係合部材６４を係合解除すると、ばねでラチェットギヤから離れ、第１表示器部材が更に前進しても、第１表示器部材が次の１サイクルを完了して、前進部材が再び第２表示器部材のラチェットギヤの次の歯と係合するまでは、第２表示器部材の回転に影響を及ぼさず、以後これが繰り返される。第２表示器部材７とその前進部材は、第３表示器部材の歯上にある第２係合部材と、同様に相互作用し、第２表示器部材が１回転する度に、第３表示器部材と選択的に係合して所定の増分量だけ前進させる。理解頂けるように、更に多くの表示器部材を同様に組み付けて、増分表示装置を提供することもできる。
【００３９】
図４０、図４１、図４６に示すように、二次又は警告式表示器部材３００が、ディスペンサーハウジング内に、表示器部材に隣接して、表示器部材５０の軸と平行で且つ離間している軸の周りに、回転可能に支持されている。警告式表示器部材３００は、警告式投薬量標識が貼り付けられた外周面を有している。警告式投薬量標識は、例えば、表面の一部分又は区域が緑色で、他の部分又は区域が赤色の色分け形態を取るのが望ましい。複数の区域を用いて、限定するわけではないが、例えば、それぞれ緑色と赤色の２つの区域、又は緑色、黄色及び赤色の３つの区域とするのが望ましい。代わりに、ここで説明している英数字、テキストメッセージなどを標識として用いてもよい。なお、回転軸に垂直な表示器部材の表面を標識で構成してもよいものと理解頂きたい。表示器部材の表面は、ディスペンサーハウジングに形成された表示窓３０２を通して見ることができる。
【００４０】
第２表示器部材３００は、少なくとも１つの被駆動部材３０６を、望ましくは複数の被駆動部材を、更に含んでおり、それら被駆動部材３０６は、或る実施形態では、第２表示器部材の円周標識面の一方の側から半径方向外向きに伸張している歯として構成されている。第１と第２の表示器部材５０と３００の回転軸の間の間隔を考慮して、両表示器部材の一方に連結されている駆動部材と、被駆動部材は、駆動部材と共に構成されている第１表示器部材５０が所定の回数だけ回転したら噛み合うように作られ、そうするのに十分な長さを有している。第２表示器部材３００には、更に、駆動部材とは反対側にある表示器部材側の、回転軸周りに円周方向に形成された複数のラチェット歯３０８が設けられている。ディスペンサーハウジング又はモジュール式ハウジングからは、逆止部材が伸張しており、ラチェット歯３０８の１つ又は複数の歯と連続的に選択的に係合し、第２表示器部材３００が一方向にだけ回転できるようにしている。警告式表示器を組み込んだ各種実施形態は、この他にも、２００４年１０月１８日出願の米国特許出願第１０／９６８，８１５号「警告投薬量表示器を備えた表示装置」に開示されており、その開示全体を参考文献としてここに援用する。
【００４１】
図３及び図１６から図１８に示すディスペンサーの好適な実施形態では、表示器アセンブリは、表示器モジュール９０に配置されている。表示器モジュール９０は、ハウジング内に収容される形状をしており、ハウジング内では支持ブロック１６部分の周りに配置されている。具体的には、支持ブロックは、ディスペンサーハウジングの壁、別の言い方ではアクチュエータブーツ、から間隔を空けて配置され、ハウジングの底部にドーナツ型のソケットを形成している。モジュールは、円筒状の支持ブロックの外側凸面と嵌り合う形状をしている内側凹面と、これも略円筒状のハウジングの内側凹面と嵌り合う形状をしている外側凸面とを有しているモジュール式ハウジング９２を含んでいる。この様に、モジュール式ハウジングは、支持ブロックの周りに形成されたソケットの中に収容される形状をしている。モジュール式ハウジングは、半円形状を有しており、支持ブロックの、オリフィス開口とは反対側の部分の周りに、薬剤の分与又は患者へ薬剤を送る気流を妨げないように装着されているのが望ましい。この様に、モジュールは、支持ブロックの中心点よりも後方に維持されている。但し、当業者には理解頂けるように、モジュール又はモジュール式ハウジングは、支持ブロックなどの有無を問わず、様々なハウジング又はキャップアセンブリに収容できるように多種多様な寸法形状に構成することができる。モジュール式ハウジングは、単一の部品で形成してもよいし、２つ以上の部品を接合してハウジングを形成してもよい。
【００４２】
なお、モジュールは、締結具又は接着剤の使用を含め、どの様な従来の手段でハウジング内に固定してもよい。代わりに、モジュールは、支持ブロックとハウジング壁の間に形成されているソケットに単に圧入するだけでもよい。
【００４３】
各種実施形態では、上で説明したように、標識は、表示器ホイールの円周面６０に、例えば、表示器部材上のラチェットギヤが１０個の歯を有している場合は、０から９までの数字の形態で貼り付けられる。操作時には、理解頂けるように、３つ又はそれ以上又は以下の表示器部材を、容器内に入れることができる最大投薬回数に事前に設定し、標識即ちこの場合には数字を表示器ホイールの周囲に配置して、容器を連続的に順次作動させることによって表示器部材に投薬回数をカウントダウンさせる。
【００４４】
代わりのやり方では、、表示器部材は、各表示器部材のゼロ（０）が表示窓でユーザーに表示されるように、組み立てられる。次に、ユーザーが容器を作動させると、第１表示器部材がハウジング内で回転して、分与された投薬回数を１から９まで順次表示する。１０回目の作動で、表示器部材は、望ましくはラチェットギヤの回りに形成されていて所定の作動回数と同じである１０個の歯によって、１回の回転を完了し、第１表示器部材が再び０を表示するときに第２表示器部材を０から１まで数字を１つ進ませ、２つの部材が一緒になって１０回分の投薬量が分与されたことを表示する。第１表示器部材は、後に続く作動操作によって再び回され、更に一回転が完了すると、第２表示器部材を更に回転させて２を表示させ、２０回分の投薬量が分与されたことを表示する。第２表示器部材が完全に１回転すると、１００回の作動に相当し、第３表示器部材は、表示窓に１を表示するように進められ、第１及び第２表示器部材は、０を表示し、以下これが繰り返される。
【００４５】
図１から図５の表示器アセンブリの実施形態は、例えば、表示器モジュールに取り付けられているものとして示しているが、当業者には理解頂けるように、アセンブリは、心棒、表示器部材、ラチェットギヤ、アクチュエータ部材、及びばねを含めて、例えば図３４、図４１、図４６に示すように、容器を支持するディスペンサーハウジング又はアクチュエータブーツに直接装着してもよい。同様に、１つ又は複数の係合部材、及び１つ又は複数の逆止部材は、図３８に示すように、容器を支持するディスペンサーハウジング又は別の言い方ではアクチュエータブーツの中に形成してもよい。
【００４６】
図１から図７の実施形態に示すように、コネクタ４は、容器とディスペンサーハウジングを接続しており、容器が係合位置と非係合位置の間を移動する際に両者の間の接続を維持する。ここで使用している「接続された」という用語は、２つ又はそれ以上の部材又は構成要素が、直接か又は例えば介在部材又は構成要素を介して間接かを問わず、連結されていることを意味している。例えば、容器が表示器アセンブリに接続され、表示器アセンブリがディスペンサーハウジングに接続されている場合、容器はディスペンサーハウジングに接続されていることになると理解頂きたい。「固定的に接続されている」という用語又はその派生型は、別の構成要素に接続されている或る構成要素が、装置の通常の操作中で過度に力が加えられていない場合には外れないことを意味し、一方「取り外し可能に接続されている」という用語は、或る構成要素が、その様な通常の操作中で過度に力が加えられていない場合に外れることを意味する。
【００４７】
或る実施形態では、コネクタは、容器に取り付けられた取付部分３０を含んでいる。図６に示す取付部分は、ハブ１０６に例えばスナップ嵌めによって係合される係止リング又はカラー３２と、容器の端部分を取り巻いている環状の壁を含んでいる。取付部分は、カラーを容器にスナップ嵌めできるようにするため、長手方向のスリットを含んでいる。取付部分は、環状の壁の互いに反対側から伸張している一対の従動子部材３４を含んでいる。各従動子部材は、ステム３６とキャップ部分３８を含んでいる。
【００４８】
コネクタは、更に、ディスペンサーハウジングの内部に沿って形成された一対の長手方向に伸張しているガイド部分４０を含んでいる。各ガイドは、軌道４２を画定している。ガイドは、ディスペンサーハウジングの頂部から長手方向に伸張している頂部分４４を含んでいる。軌道４２は、ガイド４４の上側部分で終わって、移動限界停止部４６を画定している。
【００４９】
図１１から図１５に示す或る実施形態では、取付部分に形成されている従動子部材３４は、軌道４２に直接取り付けられており、頭部即ちキャップ部分３８がガイド４０によって保持され、容器が軌道内で係合位置と非係合位置の間をガイドに対して並進運動できるようになっている。容器がディスペンサーハウジングに対して最も高い位置にあるときには、ガイドの頂部４４の長さにもよるが、容器は、ディスペンサーハウジングに対して、従動子部材により画定されている軸４８周りに回転して、ディスペンサーハウジング１０の内部にアクセスできるようにしている。
【００５０】
代わりに又は追加的に、マウスピース２４はディスペンサーハウジングの上側部分６に回転可能に接続されている。或る実施形態では、上側部分は、支持ブロック１６も含んでいるが、更に、その外側から横方向外向きに伸張する一対の心棒８を含んでいる。また、ハウジングは、マウスピースの開口部７８の頂部に沿って形成された捕捉要素５４を含んでいる。マウスピースは、心棒８を受け入れる形状に作られた開口部７６又はソケットを画定している一対のタブ７４を含んでいる。マウスピースは、捕捉要素５８を更に含んでおり、この捕捉要素５８は、上側ハウジング部分の捕捉要素５４と解放可能に係合し、マウスピースを閉じた作動可能なディスペンサー状態に解放可能に固定する。マウスピースは、心棒により画定されている軸８０周りを洗浄位置まで回転又は軸回転し、使用者が、指示ブロックを含めディスペンサーハウジングの上側部分の内部へアクセスできるようにしている。
【００５１】
図１から図７に示す別の実施形態では、コネクタは、更に一対の伸張部材８２を含んでいる。各伸張部材は、そこから横方向に突き出した従動子部材８６と、移動限界停止部部分を画定している上側及び下側の終端部９４、９６を有する長手方向の軌道８４とを有している。取付部分の従動子部材３４は、それぞれ伸張部材の軌道８４に取り付けられており、軌道に対して並進運動する。また、従動子部材３４は、伸張部材に対して軸３８周りに回転することもできる。同時に、伸張部材８２は、その従動子部材８６を、ディスペンサーハウジングに形成された軌道４２内で動かすことにより並進運動させることができる。伸張部材８２は、図４及び図５に示すように、伸張部材をその従動子部材８６により画定されている軸９８周りに回転させることにより、ディスペンサーハウジングに対して回転させることができる。
【００５２】
操作時、容器１００は係合位置から非係合位置に動かされる。図２に示すように、容器をディスペンサーハウジングから外に並進運動させると、容器１００は伸張部材８２に対して並進運動し、その際、伸張部材は、取付部分の従動子部材３４が頂部移動限界停止部部分９６と係合した後、ディスペンサーハウジング１０に対して並進運動する。容器がディスペンサーハウジングから完全に取り外されると、容器１００は、ディスペンサーハウジング１０及び伸張部材８２に対して回転させることができる。同様に、伸張部材がディスペンサーハウジングに対して一杯に並進運動して、従動子部材８６が上側移動限界停止部部分４６に係合すると、伸張部材８２も、ディスペンサーハウジング１０に対して回転させることができる。この様に、容器は、容器とディスペンサーハウジングの間の接続を維持した状態で、並進運動させて回転させ、又は動かして、例えばハウジングを洗浄するためにディスペンサーハウジングの空洞１２へアクセスできるようにすることができる。
【００５３】
図８に示す別の実施形態では、取付部分１３０は、容器の側部に沿って長手方向に伸張する壁部分を含んでいる。取付部分は、それぞれが軌道１３２を有する一対のガイドを形成している。そこで、一対の従動子部材１３４がディスペンサーハウジングの内面から横方向内向きに伸張して、上記の軌道に係合している。操作時、容器と、容器に取り付けられている取付部分は、従動子部材１３４とディスペンサーハウジング１０に対して並進運動する。或る実施形態（図示せず）では、従動子部材が、ディスペンサーハウジングの頂部から伸張しているその伸張部分に形成されており、容器と取付部分がディスペンサーハウジングに対して回転もできるようになっている。
【００５４】
図１０に示す別の実施形態では、図７の伸張部材８２が、図８の実施形態に組み込まれているが、伸張部材の従動子部材８６は取付部分の軌道１３２に係合しており、ディスペンサーハウジングの従動子部材１３４は伸張部材の軌道８４に係合している。操作中、容器と取付部分１３０は、伸張部材８２に対して並進運動及び／又は回転させることができ、一方で、伸張部材は、ディスペンサーハウジング１０に対して並進運動させ回転させることができる。
【００５５】
図９に示す更に別の実施形態では、ディスペンサーハウジングは、それぞれ軌道４２を画定している一対のガイド４０を含んでいる。一対の伸張部材１８２は、それぞれ、伸張部材の互いに反対側の端部の互いに反対の側面から伸張する一対の長手方向に間隔を空けて配置された従動子部材１８４と１８６を含んでいる。従動子部材１８４、１８６は、それぞれ、取付部分とディスペンサーハウジングに形成された軌道１３２、４２と係合し、容器と取付部分が伸張部材とディスペンサーハウジングに対して並進運動及び回転できるようにすると共に、伸張部材１８２がディスペンサーハウジング１０に対して並進運動及び回転できるようにするので、容器はディスペンサーハウジングから完全に取り外すことができ、なお且つディスペンサーハウジングに接続されたままである。
【００５６】
なお、伸張部材、軌道、ガイド、従動子部材などについては一対で示しているが、容器とディスペンサーハウジングを接続するのに、１つ又は２つより多くのその様な部材を使用してもよいと理解頂きたい。
【００５７】
図１から図１５の各種実施形態は、容器１００とディスペンサーハウジング１０の間の接続を維持して、容器に対する表示装置の計数の狂いを未然に防止すると同時に、容器が非係合位置に移動することを許容して、ディスペンサーハウジングを洗浄できるようにしている。
【００５８】
図３７から図３９に示す別の実施形態では、取付部分１１２は、複数（図示は３つ）の長手方向に伸張するアーム１１４を含んでおり、各アームには、その自由端に捕捉部分１２０が形成されている。取付部分のカラー部分１１６は、長手方向のスリット１２２を含んでおり、カラー部分を容器の頚部１８８の周りに圧入できるようになっている。
【００５９】
ディスペンサーハウジングは、対応する複数のガイドを含んでおり、それぞれが開口部又は軌道を画定している。アーム１１４は、ガイド１１８を貫通して配置されており、捕捉部分１２０がガイドの底部に係合し、容器が非係合位置に動かされるときにそこから外れないようにしている。代わりに、捕捉部分１２０は、容器が係合状態に動かされるとガイド１１８の底部と係合し、その後、容器を係合位置に保持して、容器が非係合位置に動くのを防止する。アーム１１４は、容器１００が支持ブロック１６に対して往復して動かされる際には、ガイド１１８に対して動く。この実施形態では、表示器アセンブリは、ディスペンサーハウジングの底部に直接取り付けらているが、モジュール式ハウジングも使用できるものと理解頂きたい。
【００６０】
例えば、図４７の実施形態に示すように、アーム１１４と捕捉部分１２０は、モジュール式ハウジング９０の頂部に形成されガイドを画定している開口部９１を通して挿入される。捕捉部分１２０は、ハウジングの頂部壁の底部に係合し、容器が非係合位置に動かされるときにモジュール式ハウジング９０から外れないようにしている。代わりに、捕捉部分１２０は、容器が係合状態に動かされる際にはモジュール式ハウジング９０と係合し、それ以後、容器を係合位置に保持して、容器が非係合位置に動くのを防止する。アーム１１４は、容器１００が支持ブロック１６に対して往復して動かされる際に、開口部９１とモジュール式ハウジング９０に対して動く。モジュール式ハウジング９０は、例えば、限定するわけではないが、モジュール式ハウジング９０の前方垂直面及び頂面と係合する１つ又は複数のタブ９３と、例えば、スナップ嵌合で係合させることによって、ディスペンサーハウジングに固定的に取り付けることができる。モジュール式ハウジングは、摩擦嵌合、（例えば、音波）溶接により、接着剤を使って、又は上記の何らかの組み合わせを使って取り付けることもできる。
【００６１】
この様に、実施形態の中には、ディスペンサーハウジング１０を変更したり、或いは投薬回数表示器を使用しない構成から改造する必要がないものもある。むしろ、使用者は、単にモジュール式ハウジング９０をディスペンサーハウジング１０の底部に、例えば、接着剤又は摩擦嵌合で固定して、その後、容器１００をモジュール式ハウジング９０に、例えば、アーム１１４で固定するだけでよい。
【００６２】
図３３から図３６の実施形態に示すように、表示装置は、ディスペンサーハウジングの底部１２４に、直接又はモジュール式ハウジングを用いての何れかで取り付けられる。ディスペンサーハウジングの上側部分１２６は、底部分に接続されている。なお、底部分及び上側部分は、別々の部材として作り、例えば、機械的締結具（例えば、圧入）、接着剤、超音波溶接などで互いに固着させてもよいものと理解頂きたい。上側部分は、複数の下向きに傾斜した突起１２８又はアームを含んでおり、容器の頚部が突起を滑り越して、弁ステム１１０が支持ブロック１６に挿入されると、突起が容器の肩部１８０に係合して、突起が容器の周りにスナップ嵌合する。突起又は捕捉部分は、容器を常に係合位置に保つように支持ブロックから間隔を空けて配置してももよいし、容器を非係合位置に動かすことはできてもディスペンサーハウジングから外れないようにするため上向きに間隔を空けて配置してもよい。捕捉部分は、容器のフェルール部分に噛み合って、容器がディスペンサーハウジングから外れるのを防止すると共に、一方では、容器が捕捉部分に対して下向きに動いて、物質の一回の投薬量を分与することができるようにしている。
【００６３】
図４４から図４６の実施形態に示すように、突起又はアーム１２８、即ち捕捉部分は、一体に形成されたマウスピースを含んでいるか又は別体のマウスピース２４が回転可能に又は軸回転可能に接続されている、下側部分１２４に形成されている。突起１２８は、上で説明したのと同じやり方で機能するが、この実施形態では、ディスペンサーハウジングの上側部分１２６を取り外せるようにして、例えば装置を洗浄できるようにしている。上側部分又は下側部分の内の一方は、摩擦嵌合により他方の部分を受ける壁の段差２１４及び肩部２１６で構成されている。代わりに、上側部分又は下側部分の内の一方又は他方に、他方の構成要素と摩擦又は圧入嵌合で係合させるため１つ又は複数の凸凹又は隆起を設けてもよい。
【００６４】
図４０から図４３に示すように、ディスペンサーハウジングは、下側又は底部分１２４、上側部分１２６、及び下側部分１２４に回転可能に接続されたマウスピース２４を含んでいる。別の実施形態では、マウスピースは、下側部分１２４と一体に形成されている。或る実施形態では、上側部分１２６は、透明なプラスチックで形成されるか、そうでなければ透けていて、使用者は、容器を見て、例えば、貼り付られているラベルや処方を読むことができるようになっている。上側部分全体が透けていてもよいし、又は透けている表示窓を設けて容器の一部が見えるようにし、上側部分の残りの部分は透けていなくてもよい。上側部分が透けるという態様は、例えば、上側部分と容器が、下側部分に、そこから取り外せないように固定される場合には、例えば、容器に貼り付けられたラベルが見えるようにする上で重要である。無論、下側部分とマウスピースも透けるようにしてもよい。
【００６５】
或る実施形態では、上側部分１２６は、装置を洗浄し易くするために、下側部分１２４に取り外し可能に取り付けられている。例えば、上側部分又は下側部分の一方は、摩擦嵌合により他方の部分を受ける壁の段差２１４及び肩部２１６を設けて構成してもよい。代わりに、上側部分又は下側部分の内の一方又は他方に、他方の構成要素と摩擦又は圧入嵌合で係合する１つ又は複数の凸凹又は隆起を設けてもよい。
【００６６】
係止リング２０２は、例えば、限定するわけではないが、摩擦嵌合、スナップ嵌合、溶接、接着剤、及び／又はそれらの何らかの組み合わせにより下側部分に固定されている。リングは、円形の開口の周囲に間隔を空けて設けられた、複数（図示は６つ）の半円形の開口２１０を備えた円形の開口２０８によって画定された貝殻状の内周部２０６によって形成されている中央開口２０４を有している。開口の組み合わせによって、複数（図示は６つ）の把持用タブ２１２又は捕捉部分が形成されている。タブ２１２は、容器と、具体的には容器の頚部１８８周りとスナップ嵌合で係合するので、容器は、指示ブロックと係合した位置に保持され、且つ係止リング２０２が容器の肩部１８０と係合しているため、下側部分から外れることもない。循環開口２０２又は切欠部は、容器の操作中に空気がリングの中を又はリングを通って流れることを許容する。なお、これより多いか又は少ない開口を形成してもよいものと理解されたい。代わりに、リングは、容器を受け入れる単一の円形開口として形成し、空気を流す必要がある場合は、他の開口を、リングを貫通して中央開口から間隔を空けて形成してもよい。
【００６７】
図３１と図３２を参照すると、分与装置の別の実施形態は、ゴムのような弾性を有する可撓性の材料で形成されたキャップ部材１３６を含んでいる。キャップは、容器が係合位置に配置された後、容器を覆って固定される。キャップは、接着剤、締結具などでディスペンサーハウジングに固定的に留められる。使用者は、ゴム製キャップを押すことで容器を作動させるが、キャップは、容器がディスペンサーハウジングに対して下向きに動くにつれて変形する。ディスペンサーハウジングには、キャップ部材を押して容器を作動させるときに空気を逃がすことができるようにする複数の通気孔１３８が設けられている。
【００６８】
図３１から図４６の実施形態は、容器が一旦ディスペンサーハウジングに設置されたら、容器を係合位置に維持するように構成されており、これは、弁ステムを支持ブロックから取り外して容器を非係合位置に動かすことはできないということを意味していると理解頂きたい。この様に、単一の容器に、対応する表示装置が関係付けられ、容器をディスペンサーハウジングから取り外してそれを他のハウジングと使用することで、投薬回数の計数が狂うことのないようにしている。同時に、取り付け装置は、容器が支持ブロックに対して長手方向に往復運動して、物質の各投薬量が分与できるようにしている。
【００６９】
図２５から図３０に示すように、分与装置の別の実施形態は、係留紐１４０を含んでいるコネクタを含んでいる。キャップ部材１４２又は他の取付部分は、錨着部１４４を含んでいる。キャップ部材１４２は、固定的又は解放可能の何れかのやり方で、容器に取り付けられている。或る実施形態では、図２６に示すように、キャップ部材１４２は、摩擦嵌合で容器の端部と係合する複数の内側半径方向に伸張しているリブ１４８を含んでいる。図２７に示す別の実施形態では、キャップ部材１４２は、複数の弾性タブ又はフィンガ１５０を含んでおり、それらは容器に係合する係合部材として働く。
【００７０】
図２８に示すように、キャップ部材２４２は、円盤形状に形成されており、キャップの底部は、接着剤又は他の適した取り付け装置で容器の底部に取り付けられている。キャップの一番上には、係留紐１４０の一方の端部に接続するための錨着部１４４が設けられている。
【００７１】
図２９に示すように、キャップ部材２４２には、鍵孔が形成されて錨着部を画定しており、鍵穴は、スロット２４４とキャップ部材の底部に形成された穴２４６を含んでいる。係留紐１４０の一方の端部には、結び目又は停止部分が形成されており、この端部は、係合した形態では穴２４６を貫通して伸張しており、一方、係留紐は、スロットの中に配置され、キャップ部材から、そのスロットが形成されている側の開口２４８を通って伸張している。係留紐の反対側の端部は、下で説明するようにディスペンサーハウジング上の錨着部に固定されている。
【００７２】
図３０に示すように、キャップ部材１４２は、開口２４８でその側面に開口しているスロット２４４を含んでおり、係留紐は、キャップ部材と容器の底部の間のスロットに配置され、スロットを通って伸張するようになっている。キャップ部材は、係留紐の大きくなった端部を固定できるように作られた穴２４６を更に含んでいる。
【００７３】
ディスペンサーハウジングは、ハウジングの外側又は内側に設けられる錨着部１４６を含んでいる。或る実施形態では、係留紐は、例えばゴムやシリコンなどの弾性材料の様な伸縮可能な材料で作られている。別の実施形態では、係留紐は、伸張不能な材料で作られており、係留紐は、係留紐を巻いて格納する引込機構内に収容されていても、いなくともよい。係留紐１４０の両端部は、錨着部１４４、１４６に固定されている。
【００７４】
操作時、使用者は、容器１００を係合位置から非係合位置に動かすが、この操作には、例えば、ハウジングを洗浄するために、容器全体をディスペンサーハウジングから取り外すことが含まれる。このとき、係留紐は、投薬回数の計数が狂わないように容器とディスペンサーハウジングとの接続を維持する。
【００７５】
図１７から図２４に示すように、ディスペンサー装置は、ディスペンサーハウジング１０と、鍵装置１５２と、表示装置９０を含んでいる。鍵装置１５２は、例えば、容器のハブ又は頚部にスナップ嵌合することによって容器に接続された取付部分１５８を有している。或る実施形態では、取付部分１５８は、図６に関して上で開示したカラー３２を含んでいる。
【００７６】
図１７から図２４に示すように、鍵装置１５２は、例えば図２１の例に示す第１及び第２の回転可能なリング１５４、１５６を更に含んでおり、それらリングは、第１リングを第２リングの周りに円周方向に配置して取付部分に回転可能に取り付けられる。或る実施形態では、取付部分は、その底部にリングを支える縁部分を含んでいる。各リング１５４、１５６は、その底面に形成された開口部１６０、１６２又は鍵通路を含んでいる。別の実施形態では、２つのリングの内の一方又は両方は、そこから下向きに伸張する鍵部分を含んでいる。鍵部分は、例えば、限定するわけではないが、三角形のタブ部材として構成してもよい。
【００７７】
表示装置は、上で説明した様にディスペンサーハウジングに接続されている。表示装置は、その頂部に回転可能に取り付けられた、例えば基部ハウジングに着座し、長手方向軸周りに回転可能な第１及び第２ギヤ１６４、１６６を更に含んでいる。第１及び第２ギヤは、そこから上向きに伸張する第１及び第２鍵部分１６８、１７０を含んでいる。なお、第１及び第２ギヤの一方又は両方は、鍵通路を供えた構成でもよいと理解頂きたい。鍵部分１６８、１７０は、容器が係合位置に動かされて、弁ステムがディスペンサーハウジングと係合する際、鍵通路１６０、１６２内に配置される。最初は、鍵通路と鍵部分は、例えば隣り合わせに整列している。容器が非係合位置に動かされると、第１及び第２鍵部分は、それぞれ前記第１及び第２鍵通路から外れる。
【００７８】
第１及び第２ギヤ１６４、１６６は、それぞれ、その底部から伸張して、ギヤの周りに円周方向に配置された複数のギヤ歯を含んでいる。外側の第１ギヤ１６４の歯は、図２３に示す様に、モジュール式ハウジングに回転可能に取り付けられた駆動ギヤ１７２と噛み合う。駆動ギヤは、ラチェットギヤ１７４と同軸に取り付けられている。図２４に示すアクチュエータ７０は、ラチェットギヤ１７４の歯と選択的に噛み合うフィンガ又はタブ部材１７６を含んでおり、アクチュエータ７０と容器１００が往復運動する都度、増分量だけギヤを回転させる。すると、駆動ギヤ１７２は、ラチェットギヤ１７４と共に回転して、外側のギヤ６４を増分量だけ回転させる。鍵部分１６８は、鍵通路１６０内でリング１５４と係合し、容器取付部分上のリングを動かす。
【００７９】
外側ギヤ１６４が完全に一回転すると、外側ギヤの内側に沿って半径方向及び円周方向に伸張している前進部材１７８は、表示器ハウジング９２に形成されている係合部材によって内向きに付勢され、内側ギヤ１６６上に形成されている歯の内の１つと係合して、内側ギヤ１６６を前進させる。すると、内側ギヤ１６６は、鍵部分１７０が鍵通路１６２と係合することにより、第２リング１５６を回転させる。
【００８０】
操作時、使用者は、容器１００を弁ステム１１０に対して往復運動させ、キャニスタが往復運動する都度、物質の一回分の投薬量を容器から分与させる。第１ギヤ１６４は、キャニスタが往復運動する都度それに応じて第１の増分量だけ駆動ギヤ１７２により回転され、キャニスターが所定回数分だけ往復運動すると、第２ギヤ１６６を第１ギヤと選択的に係合させる。第１ギヤは、第２ギヤを第２の増分量だけ回転させる。第１及び第２ギヤ、並びに対応する第１及び第２リングが異なる位置に動かされると、それらは分与された投薬回数に対応して変化する独自の鍵模様を画定する。従って、弁ステムが支持ブロックに係合する前に鍵部分１６８、１７０が鍵通路１６０、１６２に嵌らなくてはならないため、容器から分与された投薬回数が同じ容器しか、ディスペンサーハウジングには再係合しない。
【００８１】
或る実施形態では、容器１００は、ハウジング１０、表示装置又はアセンブリ、又はハウジングと表示装置の組み合わせ、に設けられた対応する独自の標識に一致する独自の標識を備えて構成されている。例えば、容器とハウジングは、一致する色と英数字、又はその両方の組み合わせを備えて構成され、使用者は、特定の容器を特定のハウジングに関係付けるよう示されることになる。例えば、限定するわけではないが、容器とハウジングの両方を、特定の色（例えば赤色）と英数字標識（例えば「Ｂ２６３」）というラベルを備えた構成にしてもよい。こうすれば、使用者は、容器をディスペンサーに一致させるよう示され、そのディスペンサーに関係付けられた表示装置上の計数表示がその容器に対応していることが確認できる。こうして、容器に残留している投薬回数、又は容器から既に分与された投薬回数が更に確実に保証される。この識別システムは、単独で、即ち主要な関連付け／識別ツールとして使用してもよいし、又はここで開示している他の実施形態及びコネクタ装置と協働で使用される補助的な識別ツールとして使用してもよい。
【００８２】
或る実施形態では、各容器及び対応するハウジング／表示装置には、何らかの他のハウジング／表示装置で使用されている標識と重複していない独自の標識が設けられている。別の実施形態では、標識は、時間が経てば、例えば、何らかの特定の薬剤のロットの有効期限が切れてから或る一定の時間が経てば、再使用することができ、標識の個数を無限に増やす必要がないようになっている。更に別の実施形態では、特定の使用者に処方された容器とハウジング／表示装置は、独自の標識を備えて構成されており、例えば、薬局又は他の小売店に記録を維持させ、補充や新規処方に対して新しい標識を割り当てることで、その特定の使用者に対する独自性を保護するようになっている。上記実施形態では、他の使用者には、特定の使用者に使用されている標識と同じ標識が無作為に割り当てられるが、独自性は各使用者毎に保護される。
【００８３】
以上、本発明を好適な実施形態に関連付けて説明してきたが、当業者には理解頂けるように、本発明の精神及び範囲から逸脱することなく、その形態と詳細には変更を加えることができる。而して、以上の詳細な説明は、説明を目的としており限定を課すものではないと理解頂きたく、本発明の範囲を定義するのは、特許請求の範囲の内容並びにその全ての等価物とする。
【図面の簡単な説明】
【００８４】
【図１】投薬量標識を見せる表示窓付きのディスペンサーハウジングと、係合位置に配置された容器と、を含んでいる分与装置の斜視図である。
【図２】図１に示した分与装置の、容器が第１の非係合位置にある状態の斜視図である。
【図３】図１に示したディスペンサーハウジングと、容器と、表示装置と、コネクタの分解斜視図である。
【図４】図１に示した分与装置の、容器が２つ目の第１非係合位置にある状態の斜視図である。
【図５】図４に示した分与装置の上面斜視図である。
【図６】コネクタの取付部材部分の或る実施形態の斜視図である。
【図７】伸張部材の或る実施形態の斜視図である。
【図８】コネクタの別の実施形態の分解斜視図であり、ディスペンサーハウジングは部分断面図で示している。
【図９】コネクタの別の実施形態の分解斜視図であり、ディスペンサーハウジングは部分断面図で示している。
【図１０】コネクタの別の実施形態の分解斜視図であり、ディスペンサーハウジングは部分断面図で示している。
【図１１】ディスペンサーハウジングと、係合位置に配置された容器と、ヒンジ取付マウスピースと、を含んでいる分与装置の斜視図である。
【図１２】図１１に示した分用装置の、マウスピースが洗浄位置に配置されている状態の斜視図である。
【図１３】図１１に示した分与装置の断面斜視図である。
【図１４】マウスピースの或る実施形態の斜視図である。
【図１５】ディスペンサーハウジングの或る実施形態の斜視図である。
【図１６】ディスペンサーハウジングと、容器と、表示装置と、鍵装置と、を含んでいる分与装置の別の実施形態の分解斜視図である。
【図１７】表示装置と鍵装置の拡大部分斜視図である。
【図１８】表示装置と、鍵装置と、容器の下面分解斜視図である。
【図１９】表示装置の第１ギヤの或る実施形態の斜視図である。
【図２０】表示装置の第２ギヤの或る実施形態の斜視図である。
【図２１】鍵装置のリングの或る実施形態の斜視図である。
【図２２】表示装置の或る実施形態の上面斜視図であり、第１及び第２ギヤを取り払って示している。
【図２３】図２２に示した表示装置の部分上面斜視図であり、頂部カバー部材と第１及び第２ギヤを取り払って示している。
【図２４】アクチュエータ部材の斜視図である。
【図２５】分与装置の別の実施形態の、容器が非係合位置にある状態の側面図である。
【図２６】係留紐キャップ部材の或る実施形態の下面斜視図である。
【図２７】係留紐キャップ部材の別の実施形態の側面図である。
【図２８】係留紐キャップ部材の別の実施形態の部分破断図である。
【図２９】係留紐キャップ部材の別の実施形態の上面斜視図である。
【図３０】係留紐キャップ部材の別の実施形態の下面斜視図である。
【図３１】キャップ部材が取り付けられた分与装置の別の実施形態の側面斜視図である。
【図３２】図３１に示した分与装置の部分断面破断図である。
【図３３】分与装置の別の実施形態の側面斜視図である。
【図３４】図３３に示した分与装置の部分斜視図であり、ディスペンサーハウジングの頂部は示していない。
【図３５】図３３に示した分与装置の底部の上面斜視図である。
【図３６】図３３に示したディスペンサーハウジングの頂部の部分破断側面図である。
【図３７】分与装置の別の実施形態の断面側面図である。
【図３８】図３７に示した分与装置の上面図であり、容器とコネクタは示していない。
【図３９】図３７に示したコネクタの上面斜視図である。
【図４０】分与装置の分解側面図である。
【図４１】図４０に示した分与装置の部分破断図であり、ディスペンサーハウジングの上側部分を取り払って示している。
【図４２】図４０に示した分与装置の部分破断図であり、ディスペンサーハウジングの上側部分又は容器のキャニスター部分を取り払って示している。
【図４３】図４０に示したディスペンサーハウジングの下側部分の斜視図である。
【図４４】ディスペンサーハウジングの下側部分の別の実施形態の斜視図である。
【図４５】図４４の下側部分を組み込んだ分与装置の部分図であり、ディスペンサーハウジングの上側部分又は容器のキャニスター部分を取り払って示している。
【図４６】図４４に示した下側部分を組み込んだ分与装置の部分破断図である。
【図４７】分与装置の或る実施形態の部分分解斜視図である。
【図１】
2008528091.tif 000003
【図２】
2008528091.tif 000004
【図３】
2008528091.tif 000005
【図４】
2008528091.tif 000006
【図５】
2008528091.tif 000007
【図６】
2008528091.tif 000008
【図７】
2008528091.tif 000009
【図８】
2008528091.tif 000010
【図９】
2008528091.tif 000011
【図１０】
2008528091.tif 000012
【図１１】
2008528091.tif 000013
【図１２】
2008528091.tif 000014
【図１３】
2008528091.tif 000015
【図１４】
2008528091.tif 000016
【図１５】
2008528091.tif 000017
【図１６】
2008528091.tif 000018
【図１７】
2008528091.tif 000019
【図１８】
2008528091.tif 000020
【図１９】
2008528091.tif 000021
【図２０】
2008528091.tif 000022
【図２１】
2008528091.tif 000023
【図２２】
2008528091.tif 000024
【図２３】
2008528091.tif 000025
【図２４】
2008528091.tif 000026
【図２５】
2008528091.tif 000027
【図２６】
2008528091.tif 000028
【図２７】
2008528091.tif 000029
【図２８】
2008528091.tif 000030
【図２９】
2008528091.tif 000031
【図３０】
2008528091.tif 000032
【図３１】
2008528091.tif 000033
【図３２】
2008528091.tif 000034
【図３３】
2008528091.tif 000035
【図３４】
2008528091.tif 000036
【図３５】
2008528091.tif 000037
【図３６】
2008528091.tif 000038
【図３７】
2008528091.tif 000039
【図３８】
2008528091.tif 000040
【図３９】
2008528091.tif 000041
【図４０】
2008528091.tif 000042
【図４１】
2008528091.tif 000043
【図４２】
2008528091.tif 000044
【図４３】
2008528091.tif 000045
【図４４】
2008528091.tif 000046
【図４５】
2008528091.tif 000047
【図４６】
2008528091.tif 000048
【図４７】
2008528091.tif 000049
【手続補正書】
【提出日】平成19年9月11日(2007.9.11)
【手続補正１】
【補正対象書類名】特許請求の範囲
【補正対象項目名】請求項２
【補正方法】変更
【補正の内容】
【請求項２】
前記コネクタは、前記容器に取り付けられた取付部分を備えており、前記取付部分は前記ディスペンサーハウジングに接続されている、請求項１に記載のディスペンサー。
【手続補正２】
【補正対象書類名】図面
【補正対象項目名】図１０
【補正方法】変更
【補正の内容】
【図１０】
2008528091.tif 000050
【手続補正３】
【補正対象書類名】図面
【補正対象項目名】図３０
【補正方法】変更
【補正の内容】
【図３０】
2008528091.tif 000051
【手続補正書】
【提出日】平成19年9月21日(2007.9.21)
【手続補正１】
【補正対象書類名】特許請求の範囲
【補正対象項目名】請求項２
【補正方法】変更
【補正の内容】
【請求項２】
前記コネクタは、前記容器に取り付けられた取付部分を備えており、前記取付部分は前記ディスペンサーハウジングに接続されている、請求項１に記載のディスペンサー。
【手続補正２】
【補正対象書類名】図面
【補正対象項目名】図１０
【補正方法】変更
【補正の内容】
【図１０】
2008528091.tif 000052
【手続補正３】
【補正対象書類名】図面
【補正対象項目名】図３０
【補正方法】変更
【補正の内容】
【図３０】
2008528091.tif 000053
【国際調査報告】
2008528091.tif 000054
2008528091.tif 000055
2008528091.tif 000056
2008528091.tif 000057
2008528091.tif 000058
2008528091.tif 000059
2008528091.tif 000060
2008528091.tif 000061